(57)【要約】【課題】配線識別体の導線への取付け時及び該導線の配線作業時にいずれも配線図を参照する必要性をなくし、導線に付された接続先情報を見るだけで正しい場所に効率的に配線ができるようにし、配線チェックも容易にして配線ミスが生じないようにして、配線作業の高効率化及び配線作業の不良防止を図る。【解決手段】導線への取付けに必要な導線情報及び導線の配線に必要な接続先情報を文字、図形、記号又は色彩を任意に使用して配線識別体に付し、該配線識別体を導線情報を利用して導線に夫々取り付け、該導線を接続先情報を利用して、配線図を見ないで、所定の接続先に接続できるようにした構成を特徴とする。【選択図】    図１
2006115675.tif 000002
【特許請求の範囲】
【請求項１】
導線の配線に必要な接続先情報を該導線に夫々付しておき、前記接続先情報を利用して前記導線を所定の接続先に接続することを特徴とする導線の配線方法。
【請求項２】
導線の配線に必要な接続先情報を含む配線識別体を前記導線に夫々取り付けておき、該配線識別体の前記接続先情報を利用して前記導線を所定の接続先に接続することを特徴とする導線の配線方法。
【請求項３】
導線への取付けに必要な導線情報及び導線の配線に必要な接続先情報を配線識別体に付し、該配線識別体を前記導線情報を利用して前記導線に夫々取り付け、該導線を前記接続先情報を利用して所定の接続先に接続することを特徴とする導線の配線方法。
【請求項４】
導線に取付け可能に構成され、前記導線への取付けに必要な導線情報と前記導線の配線に必要な接続先情報とを文字、図形、記号又は色彩を任意に用いて表示してなることを特徴とする配線識別体。
【発明の詳細な説明】
【技術分野】
【０００１】  本発明は、導線の配線方法及び配線識別体に係り、特に配線識別体の導線への取付け時及び該導線の配線作業時にいずれも配線図を参照する必要がなく、導線に付された接続先情報を見るだけで正しい場所に効率的に配線ができ、配線チェックも容易で配線ミスが生じない導線の配線方法及び配線識別体に関する。
【背景技術】
【０００２】  従来導線を接続先に配線するときには、各々の導線のＩＤ（識別子：例えば線番等）をマークチューブに表示して取り付けたり、直接導線に印字して表示しておき、該導線のＩＤと配線図とを照合しながら所定の位置に導線を接続している。【０００３】  このため配線作業時には、作業者の近傍に配線図を設置する必要があり、図面を見ながらの配線作業となるため、多くの工数を要していた。また配線作業後に各々の接続が正しく行われたか否かをチェックする場合にも、図面の参照が必要なため作業が煩雑であり、配線ミスを発生させる原因となっていた。【０００４】  なお、本願出願人及び発明者は、本願発明に関連する公知特許文献及び公知非特許文献を知らないので、その記載を省略する。
【発明の開示】
【発明が解決しようとする課題】
【０００５】  本発明は、上記した従来技術の欠点を除くためになされたものであって、その目的とするところは、導線の配線に必要な接続先情報を該導線に夫々付しておき、接続先情報を利用して導線を所定の接続先に接続することによって、配線作業時に配線図を参照する必要性をなくして、配線作業の効率を飛躍的に高め、かつ配線のチェックも容易に行うことができるようにすることであり、またこれによって配線ミスの発生をなくして、効率的で正確な配線を可能にすることである。【０００６】  また他の目的は、導線の配線に必要な接続先情報を含む配線識別体を導線に夫々取り付けておき、該配線識別体の接続先情報を利用して導線を所定の接続先に接続することによって、接続先情報を見易くして配線作業及び配線チェック作業を容易にすることである。【０００７】  更に他の目的は、導線への取付けに必要な導線情報及び導線の配線に必要な接続先情報を配線識別体に付し、該配線識別体を導線情報を利用して導線に夫々取り付け、該導線を接続先情報を利用して所定の接続先に接続することによって、配線識別体を導線に取り付ける際にも配線図を参照することなく行うことができるようにすることであり、またこれによって配線作業中の配線図の参照を全く不要にして高効率の配線作業を行うことができるようにすることである。【０００８】  また他の目的は、配線識別体を導線に取付け可能に構成し、該導線への取付けに必要な導線情報と導線の配線に必要な接続先情報とを文字、図形、記号又は色彩を任意に用いて配線識別体に表示することよって、配線図を参照せずに導線に取り付けることができるようにすると共に、導線の配線作業も配線図を参照せずに行うことができるようにすることであり、またこれによって導線の配線作業及び配線チェック作業を極めて高効率かつ容易に行うことができるようにして、作業コストを低減させると共に、作業者の負担を著しく軽減することである。
【課題を解決するための手段】
【０００９】  要するに本発明配線方法（請求項１）は、導線の配線に必要な接続先情報を該導線に夫々付しておき、前記接続先情報を利用して前記導線を所定の接続先に接続することを特徴とするものである。【００１０】  また本発明配線方法（請求項２）は、導線の配線に必要な接続先情報を含む配線識別体を前記導線に夫々取り付けておき、該配線識別体の前記接続先情報を利用して前記導線を所定の接続先に接続することを特徴とするものである。【００１１】  また本発明配線方法（請求項３）は、導線への取付けに必要な導線情報及び導線の配線に必要な接続先情報を配線識別体に付し、該配線識別体を前記導線情報を利用して前記導線に夫々取り付け、該導線を前記接続先情報を利用して所定の接続先に接続することを特徴とするものである。【００１２】  また本発明配線識別体（請求項４）は、導線に取付け可能に構成され、前記導線への取付けに必要な導線情報と前記導線の配線に必要な接続先情報とを文字、図形、記号又は色彩を任意に用いて表示してなることを特徴とするものである。
【発明の効果】
【００１３】  本発明は、上記のように導線の配線に必要な接続先情報を該導線に夫々付しておき、接続先情報を利用して導線を所定の接続先に接続するようにしたので、配線作業時に配線図を参照する必要性がなく、配線作業の効率が飛躍的に高まり、かつ配線のチェックも容易に行うことができるという効果があり、またこの結果配線ミスの発生をなくすことがてき、効率的で正確な配線を可能にする効果がある。【００１４】  また導線の配線に必要な接続先情報を含む配線識別体を導線に夫々取り付けておき、該配線識別体の接続先情報を利用して導線を所定の接続先に接続するようにしたので、接続先情報が見易くなり、配線作業及び配線チェック作業を容易にする効果がある。【００１５】  更に導線への取付けに必要な導線情報及び導線の配線に必要な接続先情報を配線識別体に付し、該配線識別体を導線情報を利用して導線に夫々取り付け、該導線を接続先情報を利用して所定の接続先に接続するようにしたので、配線識別体を導線に取り付ける際にも配線図を参照することなく行うことができる効果があり、またこの結果配線作業中の配線図の参照を全く不要にして高効率の配線作業を行うことができるという効果が得られる。【００１６】  また配線識別体を導線に取付け可能に構成し、該導線への取付けに必要な導線情報と導線の配線に必要な接続先情報とを文字、図形、記号又は色彩を任意に用いて配線識別体に表示したので、配線図を参照せずに導線に取り付けることができると共に、導線の配線作業も配線図を参照せずに行うことができる効果があり、またこの結果導線の配線作業及び配線チェック作業を極めて高効率かつ容易に行うことができ、作業コストを低減させると共に、作業者の負担を著しく軽減できる効果が得られる。
【発明を実施するための最良の形態】
【００１７】  以下本発明を図面に示す実施例に基いて説明する。本発明に係る配線識別体１は、図１から図４において、導線２に取付け可能に構成され、導線２への取付けに必要な導線情報３と導線２の配線に必要な接続先情報４とを文字、図形、記号又は色彩を任意に用いて表示してなるものである。配線識別体１は、図１から図３に示すように、例えばマークチューブであってもよく、また図４に示すように、テープやラベル等であってもよい。【００１８】  導線情報３としては、例えば導線２に印字された線番２ａに相当する線番８ａや線種３ｂ、ケーブル名（図示せず）等があり、数字、片仮名、アルファベット等の文字や記号を印字することにより表示したり、特定の色のマークチューブ等を使用することにより判別を可能にしている。図示の例では、導線２は夫々異なる色に着色されているものとし、その色を例えば片仮名で示したものが線種３ｂとなっている。【００１９】  接続先情報４としては、図５に示すように、導線２の接続先である、例えば端子台５の各端子６に夫々付されている「Ａ」、「Ｂ」、「Ｃ」、「Ｄ」等の文字８に相当するアルファベットがある。接続先情報４は、導線情報３と同様に、数字、片仮名等の文字や記号により表示してもよく、また特定の色のマークチューブ等を使用することにより判別できるようにしてもよい。【００２０】  配線識別体１は、導線２に対し、圧着、熱収縮、接着等の手段により取り付けられるようになっている。【００２１】  導線情報３及び接続先情報４の表示は、一行でも複数行でもよい。文字や記号の大きさは一定でなくてもよく、大きくしたり小さくしたりしても良い。【００２２】  そして本発明方法（請求項１）は、導線２の配線に必要な接続先情報４を該導線２に夫々付しておき、接続先情報４を利用して導線２を所定の接続先に接続する方法である。【００２３】  また本発明方法（請求項２）は、導線２の配線に必要な接続先情報４を含む配線識別体１を導線２に夫々取り付けておき、該配線識別体２の接続先情報４を利用して導線２を所定の接続先に接続する方法である。【００２４】  更に本発明方法（請求項８）は、導線２への取付けに必要な導線情報３及び導線２の配線に必要な接続先情報４を配線識別体１に付し、該配線識別体１を導線情報３を利用して導線２に夫々取り付け、該導線２を接続先情報４を利用して所定の接続先に接続する方法である。【００２５】  本発明は、上記のように構成されており、以下その作用について説明する。まずケーブル作製図（図示せず）に従って、図１から図３に示すように、導線情報３及び接続先情報４が表示された配線識別体１を作製し、該配線識別体１を各々の導線２に取り付ける。図１に示すように、複数の導線２が被覆１０により束ねられている場合には、各導線２をばらして夫々配線識別体１を取り付ける。【００２６】  配線識別体１には、線番３ａと線種３ｂが夫々表示されているので、各々の導線２に印字されている線番２ａ及び導線２の色と照合するだけで容易に取り付けて行くことができる。このとき配線図（図示せず）を参照する必要は全くないので、非常に効率がよく、また取付け間違いが発生しにくい。【００２７】  次に図６に示すように、各導線２の芯線��ｂを露出させて例えば圧着端子９を取り付けた上で、端子台５の各端子６と照合する。各導線２の配線識別体１には、接続先情報４が夫々表示されているので、各端子６との照合は極めて容易である。照合により接続先が判明したら、順次導線２を各端子６に接続して行く。このときも、配線識別体１の取付け時と同様に、配線図を参照する必要が全くないので、気が散ることがなく非常に効率的に配線作業を進めることができ、しかも配線ミスが発生しにくい。【００２８】  配線作業中に逐次配線チェックをしたり、又は配線作業が終わった後に全体の配線チェックをするときも、図７に示すように、各導線２の接続先情報４と各端子６との照合は極めて容易で、万が一配線ミスがあっても発見が容易である。従って配線作業の不良防止が実現可能である。配線チェック時に配線図を参照する必要はもちろんない。【００２９】  なお、上記構成において、配線識別体１に表示されている情報は、導線情報３及び接続先情報４であるとしたが、これに限るものではなく、他に表示すべき情報があれば、その情報をも表示するようにしてもよい。また配線識別体１を導線２に夫々取付けることとしたが、請求項１に係る発明についてはこれに限るものではなく、例えば導線２に導線情報３及び接続先情報４を直接印字する等して表示するようにしてもよい。
【図面の簡単な説明】
【００３０】
【００３１】
【図１】配線識別体が取り付けられた導線の平面図である。
【図２】配線識別体が取り付けられた導線の拡大平面図である。
【図３】配線識別体と導線の分解斜視図である。
【図４】ラベル式の配線識別体が取り付けられた導線の拡大平面図である。
【図５】端子台の平面図である。
【図６】端子台における各端子と各導線を照合している状態を示す平面図である。
【図７】各導線を各端子に正しく接続した状態を示す拡大平面図である。
【符号の説明】
【００３２】    １    配線識別体
２    導線
３    導線情報
４    接続先情報
【図１】
2006115675.tif 000003
【図２】
2006115675.tif 000004
【図３】
2006115675.tif 000005
【図４】
2006115675.tif 000006
【図５】
2006115675.tif 000007
【図６】
2006115675.tif 000008
【図７】
2006115675.tif 000009